(57)【要約】【課題】車両解体時などに必要時にワイヤーハーネスを簡単に引き抜くことのできるワイヤーハーネスのパネル貫通部用プロテクタを提供する。【解決手段】パネルＰの貫通孔Ｐａに固定される硬質樹脂材料製の環状のワイヤーハーネスのパネル貫通部用プロテクタ１において、プロテクタ１を、ワイヤーハーネスＷを挿通させるための貫通孔２１ａを有した内周側部材２０と、該内周側部材が内部に嵌める込まれることで内周側部材を保持すると共に、外周部に設けたロック部１４によってパネルの貫通孔の内周に固定される外周側部材１０との２部品に分割され、外周側部材１０は更にロック部１４を有する４つのブロック１１Ａ〜１１Ｄに分割され、各ブロック間にはブロックを内方に変位させることを可能にする空所１２が設けられ、内周側部材２０には空所１２に嵌まることでクサビ作用を発揮して、ブロックを外方へ変位させるスペーサ部２２が一体に設けられている。【選択図】図１
2009207314.tif 000002
【特許請求の範囲】
【請求項１】
パネルの貫通孔の内周と、該パネルの貫通孔に挿通されて配索されるワイヤーハーネスの外周との間に装着され、外周部に周方向に間隔をおいて設けられた複数のロック部を、前記パネルの貫通孔の内周に係合させることにより、該パネルの貫通孔に固定される硬質樹脂材料製の環状のワイヤーハーネスのパネル貫通部用プロテクタにおいて、
前記ワイヤーハーネスを挿通させるための貫通孔を有した内周側部材と、該内周側部材が前記ワイヤーハーネスの長手方向から内部に嵌める込まれることで該内周側部材を保持すると共に、外周部に設けた前記ロック部によって前記パネルの貫通孔の内周に固定される外周側部材と、の２つの部品に分割されており、
前記外周側部材は更に、前記ロック部のうち互いに対向する位置にあるロック部をそれぞれに有する複数のブロックに分割され、且つ、該ブロック間には、分割されたブロックを内方に変位させることを可能にし、該ブロックを内方に変位させることで前記ロック部を前記パネルの貫通孔の内周に対する係合位置から解放し得る空所が設けられ、
一方、前記内周側部材には、該内周側部材が前記外周側部材に嵌め込まれたときに、前記空所に嵌まることでクサビ作用を発揮し、前記ブロックを外方へ変位させてその状態を保持するスペーサ部が一体に設けられていることを特徴とするワイヤーハーネスのパネル貫通部用プロテクタ。
【請求項２】
請求項１に記載のワイヤーハーネスのパネル貫通部用プロテクタであって、
前記複数のブロックが、柔軟性を有する連結片で繋がれて一体化されていることを特徴とするワイヤーハーネスのパネル貫通部用プロテクタ。
【請求項３】
請求項１または２に記載のワイヤーハーネスのパネル貫通部用プロテクタであって、
前記空所の両側の前記ブロックの壁面と該空所に嵌まるスペーサ部の壁面に、前記空所に嵌ったスペーサ部の抜けを阻止する係合手段が設けられていることを特徴とするワイヤーハーネスのパネル貫通部用プロテクタ。
【請求項４】
請求項１〜３のいずれか１項に記載のワイヤーハーネスのパネル貫通部用プロテクタであって、
前記外周側部材の外周形状が、前記パネルの貫通孔の形状に対応した矩形を基準とする多角形に形成され、該多角形の辺のうち互いに略平行に対向する２対の辺の各々に前記ロック部が配置され、前記外周側部材が、前記互いに略平行に対向する２対の辺のうち一方の対の各辺と交差する分割線と、前記他方の対の各辺と交差する分割線とにより、４つの前記ブロックに分割され、各ブロックのそれぞれに前記ロック部が設けられていることを特徴とするワイヤーハーネスのパネル貫通部用プロテクタ。
【請求項５】
請求項１〜３のいずれか１項に記載のワイヤーハーネスのパネル貫通部用プロテクタであって、
前記外周側部材の外周形状が、前記パネルの貫通孔の形状に対応した矩形を基準とする多角形に形成され、該多角形の辺のうち互いに略平行に対向する２対の辺の各々に前記ロック部が配置され、前記外周側部材が、前記互いに略平行に対向する２対の各辺に対して傾斜した斜めの分割線により、２つの前記ブロックに分割され、各ブロックに、前記ロック部をそれぞれ有し互いに略直交する関係の辺が２つずつ設けられていることを特徴とするワイヤーハーネスのパネル貫通部用プロテクタ。
【発明の詳細な説明】
【技術分野】
【０００１】
本発明は、ワイヤーハーネスを車体パネルに貫通させて配索する場合に、ワイヤーハーネスのパネル貫通部に装着することで、ワイヤーハーネスの保護と音漏れ防止などを図ることのできるワイヤーハーネスのパネル貫通部用プロテクタに関するものである。
【背景技術】
【０００２】
従来、自動車の車体パネルに貫通させてワイヤーハーネスを配索する場合、パネルの貫通孔とワイヤーハーネスとの間にゴム製のグロメットを配設するのが一般的であった（例えば、特許文献１参照）が、図５に示すような硬質樹脂製のプロテクタを配設することもあった。
【０００３】
図５（ａ）、（ｂ）に示すプロテクタ２００は、車体パネルＰの貫通孔Ｐａの内周と、パネルの貫通孔Ｐａに挿通されて配索されるワイヤーハーネスＷの外周との間に装着されるものであり、パネルの貫通孔Ｐａに嵌まる大きさで中心部にワイヤーハーネスＷを通すための貫通孔２１５を有するプロテクタ本体２００Ａの外周部に、周方向に間隔をおいて複数のロック部２１４を突設し、それらロック部２１４をパネルの貫通孔Ｐａの内周に係合させることにより、パネルの貫通孔Ｐａに装着・固定されている。
【０００４】
この例においてプロテクタ本体２００Ａは、外周形状がパネルの貫通孔Ｐａの形状に対応した矩形を基準とする多角形に形成されており、多角形の辺のうちの互いに略平行に対向する２対の辺２０１Ａ〜２０１Ｄの各々にロック部１４が配置されている。
【０００５】
また、プロテクタ本体２００Ａの貫通孔Ｐａの周縁からワイヤーハーネスＷの長手方向に沿ってテープ巻き付け部２２３が突設されており、そのテープ巻き付け部２２３と共にワイヤーハーネスＷの外周にテープＴを巻き付けることにより、ワイヤーハーネスＷがプロテクタ２００に固定されている。
【０００６】
なお、図５（ｂ）に示すように、プロテクタ本体２００Ａは、ヒンジ部２０２と係止フック部２０３を介して上下に分割されるように構成してある。そして、ワイヤーハーネスＷを分割したプロテクタ本体２００Ａの横から貫通孔２１５内に通した後で、係止フック部２０３を介してロックしてコネクタ１００を組み立て、それからプロテクタ２００をパネルの貫通孔Ｐａに装着・固定している。
【０００７】
ところで、最近では、リサイクル上の要請から、車両の解体時に、ワイヤーハーネスを車体から取り外す必要性が出てきた。
【０００８】
ワイヤーハーネスを車体パネルＰから取り外すには、第１の方法として、図６に示すように、プロテクタ２００のロック部２１４の係合を外し（矢印Ａの操作）、ワイヤーハーネスＷと共にプロテクタ２００をパネルの貫通孔Ｐａから引き抜く（矢印Ｂの操作）方法が考えられる。しかしながら、ロック部２１４はパネルの貫通孔Ｐａの内周に固くロックしているので、ロックを外すのは非常に困難であり、この方法の実施は難しい。
【０００９】
また、第２の方法として、図７に示すように、テープＴの巻き付け箇所をカットし（矢印Ｃの操作）、ワイヤーハーネスＷだけを引き抜く方法が考えられる。しかし、プロテクタ２００の貫通孔２１５はコネクタ１００が引き抜ける大きさではないため、コネクタ１００の付いている側でワイヤーハーネスＷを切断する操作（矢印Ｄの操作）が必要であり、この方法も面倒な作業となる。また、この方法の場合、テープをカットする工具やワイヤーハーネスを切断する工具などが更に必要になるという問題もある。
【特許文献１】特開２００１−１７７９５５公報
【発明の開示】
【発明が解決しようとする課題】
【００１０】
上述したように、従来のワイヤーハーネスのパネル貫通部用プロテクタは、いったんワイヤーハーネスを配索した上でパネルの貫通孔に固定してしまうと、取り外すのが非常に困難であり、リサイクルのために車両解体時にワイヤーハーネスをパネルから引き抜こうとしても、簡単に引き抜けないという問題があった。
【００１１】
本発明は、上記事情を考慮し、車両解体時などに必要時にワイヤーハーネスを簡単に引き抜くことのできるワイヤーハーネスのパネル貫通部用プロテクタを提供することを目的とする。
【課題を解決するための手段】
【００１２】
請求項１の発明のワイヤーハーネスのパネル貫通部用プロテクタは、パネルの貫通孔の内周と、該パネルの貫通孔に挿通されて配索されるワイヤーハーネスの外周との間に装着され、外周部に周方向に間隔をおいて設けられた複数のロック部を、前記パネルの貫通孔の内周に係合させることにより、該パネルの貫通孔に固定される硬質樹脂材料製の環状のワイヤーハーネスのパネル貫通部用プロテクタにおいて、前記ワイヤーハーネスを挿通させるための貫通孔を有した内周側部材と、該内周側部材が前記ワイヤーハーネスの長手方向から内部に嵌める込まれることで該内周側部材を保持すると共に、外周部に設けた前記ロック部によって前記パネルの貫通孔の内周に固定される外周側部材と、の２つの部品に分割されており、前記外周側部材は更に、前記ロック部のうち互いに対向する位置にあるロック部をそれぞれに有する複数のブロックに分割され、且つ、該ブロック間には、分割されたブロックを内方に変位させることを可能にし、該ブロックを内方に変位させることで前記ロック部を前記パネルの貫通孔の内周に対する係合位置から解放し得る空所が設けられ、一方、前記内周側部材には、該内周側部材が前記外周側部材に嵌め込まれたときに、前記空所に嵌まることでクサビ作用を発揮し、前記ブロックを外方へ変位させてその状態を保持するスペーサ部が一体に設けられていることを特徴とする。
【００１３】
請求項２の発明は、請求項１に記載のワイヤーハーネスのパネル貫通部用プロテクタであって、前記複数のブロックが、柔軟性を有する連結片で繋がれて一体化されていることを特徴とする。
【００１４】
請求項３の発明は、請求項１または２に記載のワイヤーハーネスのパネル貫通部用プロテクタであって、前記空所の両側の前記ブロックの壁面と該空所に嵌まるスペーサ部の壁面に、前記空所に嵌ったスペーサ部の抜けを阻止する係合手段が設けられていることを特徴とする。
【００１５】
請求項４の発明は、請求項１〜３のいずれか１項に記載のワイヤーハーネスのパネル貫通部用プロテクタであって、前記外周側部材の外周形状が、前記パネルの貫通孔の形状に対応した矩形を基準とする多角形に形成され、該多角形の辺のうち互いに略平行に対向する２対の辺の各々に前記ロック部が配置され、前記外周側部材が、前記互いに略平行に対向する２対の辺のうち一方の対の各辺と交差する分割線と、前記他方の対の各辺と交差する分割線とにより、４つの前記ブロックに分割され、各ブロックのそれぞれに前記ロック部が設けられていることを特徴とする。
【００１６】
請求項５の発明は、請求項１〜３のいずれか１項に記載のワイヤーハーネスのパネル貫通部用プロテクタであって、前記外周側部材の外周形状が、前記パネルの貫通孔の形状に対応した矩形を基準とする多角形に形成され、該多角形の辺のうち互いに略平行に対向する２対の辺の各々に前記ロック部が配置され、前記外周側部材が、前記互いに略平行に対向する２対の各辺に対して傾斜した斜めの分割線により、２つの前記ブロックに分割され、各ブロックに、前記ロック部をそれぞれ有し互いに略直交する関係の辺が２つずつ設けられていることを特徴とする。
【発明の効果】
【００１７】
請求項１の発明によれば、次のようにパネルの貫通孔に対して取り付けたり、取り外したりすることができる。即ち、取付時には、まず、パネルの貫通孔の内周にプロテクタの外周側部材を挿入し、その状態で外周側部材の内部に内周側部材を嵌め込んで、外周側部材の空所に内周側部材のスペーサ部を嵌め込む。そうすることで、スペーサ部のクサビ効果により、外周側部材の各ブロックをそれぞれ外方に変位させることができ、それにより各ブロックに設けたロック部をパネルの貫通孔の内周に係合させて、ロック部によりプロテクタをパネルの貫通孔に固定することができる。そして、このように内周側部材を外周側部材に嵌め込んだ状態で、一体のプロテクタとしてワイヤーハーネスの保護機能等を通常通りに発揮することができる。
【００１８】
次に車両解体時には、ワイヤーハーネスを強く引っ張る。そうすると、まず、内周側部材が外周側部材から抜ける。内周側部材が外周側部材から抜けると、クサビ作用を発揮して外周側部材のブロックをロックのために外方に押し出していたスペーサ部が空所から抜けることで、外周側部材の各ブロックが内方へ変位できるようになる。そこで、ブロックを内方に変位させて、外周側部材を縮小させる。そうすると、外周のロック部が係合位置から解放され、そのまま外周側部材をパネルの貫通孔から引き抜くことができる。従って、先端にコネクタが付いているワイヤーハーネスであっても、プロテクタと共に簡単にパネルの貫通孔から取り外すことができる。
【００１９】
請求項２の発明によれば、各ブロックは連結片で繋がれて一体化されているので、ばらばらになることがなく、取り扱いやすい。
【００２０】
請求項３の発明によれば、空所の壁面とスペーサ部の壁面に係合手段を設けているので、強くワイヤーハーネスを引っ張らないと、スペーサ部が空所から抜けないようにすることができる。なお、係合手段の例としては、空所の壁面を凹状に湾曲した円筒壁とし、スペーサ部の壁面をそれに合致する凸状に湾曲した円筒壁とし、両方の円筒壁の組み合わせにより構成したものを挙げることができる。また、対向する壁面の適当箇所に互いに係合する係合凸部と係合凹部を設け、それらの組み合わせにより構成したものを挙げることもできる。
【００２１】
請求項４の発明によれば、外周側部材を、それぞれに外周部にロック部を有する４つのブロックに分割したので、内周側部材を抜いた後で４つのブロックを全て内方に変位させることにより、簡単にパネルの貫通孔から外周側部材を取り外すことができる。
【００２２】
請求項５の発明によれば、外周側部材を２辺にロック部を有する２つのブロックに分割したので、最小分割数でありながら、内周側部材を抜いた後で各ブロックを内方に変位させて、全ロック部の係合を外すことができる。従って、簡単な構成で、パネルの貫通孔からの取り外しを容易にすることができる。
【発明を実施するための最良の形態】
【００２３】
以下、本発明の実施形態を図面を参照して説明する。
【００２４】
図１は実施形態のプロテクタの構成図で、図１（ａ）はパネルの貫通孔に装着した状態の側断面図、図１（ｂ）は同プロテクタの正面図である。但し、図１（ａ）は図１（ｂ）のＩａ−Ｉａ矢視断面図である。図２は同プロテクタの解体時の状態を示す側断面図、図３は同プロテクタの解体時の状態を示す正面図である。
【００２５】
図１（ａ）、（ｂ）に示すように、このプロテクタ１は、車体等のパネルＰの貫通孔Ｐａの内周と、パネルの貫通孔Ｐａに挿通されて配索されるワイヤーハーネスＷの外周との間に装着されることで、ワイヤーハーネスＷのパネル貫通部を保護すると共に、ワイヤーハーネスＷとパネルの貫通孔Ｐａとの隙間からの音や埃などの侵入を遮断するものである。
【００２６】
このプロテクタ１は、硬質樹脂材料の成形体より構成され、外周部に周方向に間隔をおいて設けられた複数のロック部１４を、パネルの貫通孔Ｐａの内周に係合させることにより、パネルの貫通孔Ｐａに固定されるものであり、外周側部材１０と内周側部材２０の２つの部品に分割されている。
【００２７】
内周側部材２０は、中心にワイヤーハーネスＷを挿通させるための貫通孔２１ａを有した円筒状のボス部２１と、そのボス部２１の外周に縦方向（Ｘ方向）と横方向（Ｙ方向）に放射状に突設された４本の柱状のスペーサ部２２とを備えたものである。ボス部２１の端部には、ワイヤーハーネスＷの長手方向に突出したテープ巻き付け部２３が設けられている。
【００２８】
外周側部材１０は、中央の円形空所１５に内周側部材２０がワイヤーハーネスの長手方向から嵌める込まれることで、内周側部材２０を保持するものであり、縦方向（Ｘ方向）と横方向（Ｙ方向）の外周部に２つずつ互いに対向するように設けたロック部１４によって、パネルの貫通孔Ｐａの内周に固定される。
【００２９】
外周側部材１０は、４つのロック部１４のうち互いに対向する位置にあるロック部１４をそれぞれに有する４つのブロック１１Ａ〜１１Ｄに分割されており、柔軟性を有する連結片１３で繋がれて一体化されている。この場合、外周側部材１０は、外周形状がパネルの貫通孔Ｐａの形状に対応した矩形を基準とする八角形（多角形）に形成されており、八角形の８つの辺のうち、互いに略平行に縦方向（Ｘ方向）と横方向（Ｙ方向）に対向する２対の辺１６Ａ〜１６Ｄの各々にロック部１４が配置されている。
【００３０】
そして、外周側部材１０は、互いに略平行に縦方向（Ｘ方向）と横方向（Ｙ方向）に対向する２対の辺１６Ａ〜１６Ｄのうち縦方向（Ｘ方向）に対をなす２つの辺１６Ａ、１６Ｃと直交する分割線Ｌｘと、横方向（Ｙ方向）に対をなす２つの辺１６Ｂ、１６Ｄと直交する分割線Ｌｙとにより、４つのほぼ等しい大きさのブロック１１Ａ〜１１Ｄに分割され、各ブロック１１Ａ〜１１Ｄのそれぞれにロック部１４が設けられている。従って、ロック部１４は、円形空所１５を挟んで点対象の位置に斜向かいに配置されている。
【００３１】
また、縦方向（Ｘ方向）と横方向（Ｙ方向）に隣接するブロック１１Ａ〜１１Ｄ間には、分割されたブロック１１Ａ〜１１Ｄを内方に変位させることを可能にし、ブロック１１Ａ〜１１Ｄを内方に変位させることで、ロック部１４をパネルの貫通孔Ｐａの内周に対する係合位置から解放する棒状の空所１２が設けられている。
【００３２】
内周側部材２０に設けられたスペーサ部２２は、内周側部材２０が外周側部材１０に嵌め込まれたときに、この空所１２に嵌まることでクサビ作用を発揮して、前記ブロック１１Ａ〜１１Ｄを外方へ変位させて、その状態を保持するための部分である。
【００３３】
次に作用を説明する。
【００３４】
このプロテクタ１は、次のようにパネルの貫通孔Ｐａに対して取り付けたり、取り外したりすることができる。まず、取付時には、パネルの貫通孔Ｐａの内周にプロテクタ１の外周側部材１０を挿入し、その状態で外周側部材１０の内部に内周側部材２０を嵌め込んで、外周側部材１０の空所１２に内周側部材２０のスペーサ部２２を嵌め込む。そうすると、スペーサ部２２のクサビ効果により、外周側部材１０の各ブロック１１Ａ〜１１Ｄをそれぞれ外方に変位させることができ、それにより各ブロック１１Ａ〜１１Ｄに設けたロック部１４をパネルの貫通孔Ｐａの内周に係合させて、ロック部１４によりプロテクタ１をパネルの貫通孔Ｐａに固定することができる。
【００３５】
この際、内周側部材２０のテープ巻き付け部２３を利用して、内周側部材２０にワイヤーハーネスＷをテープＴで固定しておくと、ワイヤーハーネスＷを持ちながら内周側部材２０を外周側部材１０に容易に嵌め込むことができる。そして、このように内周側部材２０を外周側部材１０に嵌め込むことにより、一体のプロテクタ１として、ワイヤーハーネスＷの保護機能等を通常通りに発揮することができる。
【００３６】
次に車両解体時に、ワイヤーハーネスＷを取り外す必要が生じた場合には、図２に示すように、ワイヤーハーネスＷをその長手方向に強く引っ張る。そうすると、まず、内周側部材２０が外周側部材１０から抜ける。内周側部材２０が外周側部材１０から抜けると、クサビ作用を発揮して外周側部材１０の各ブロック１１Ａ〜１１Ｄをロックのために外方に押し出していたスペーサ部２２が空所１２から抜けることで、外周側部材２０の各ブロック１１Ａ〜１１Ｄが内方へ変位できるようになる。
【００３７】
そこで、図３の矢印で示すように、ブロック１１Ａ〜１１Ｄを縦方向（Ｘ方向）と横方向（Ｙ方向）において内方に変位させて、外周側部材１０を縮小させる。この縮小は、外周側部材１０に備わっているバネ性により、内周側部材２０抜くことによって自動的に行われる場合もある。
【００３８】
外周側部材１０が縮小すると、外周のロック部１４が係合位置から解放されることになり、そのまま外周側部材１０をパネルの貫通孔Ｐａから引き抜くことができる。従って、先端にコネクタ１００が付いているワイヤーハーネスＷであっても、プロテクタ１と共に簡単にパネルの貫通孔Ｐａから取り外すことができ、ロックを外すための工具やワイヤーハーネスＷを切断するのための工具が不要である。
【００３９】
この際、外周側部材１０が、それぞれに外周部にロック部１４を有する４つのブロックに分割されているので、内周側部材２０を抜いた後で４つのブロック１１Ａ〜１１Ｄを全て内方に変位させることにより、簡単にパネルの貫通孔Ｐａから外周側部材１０を取り外すことができる。また、各ブロック１１Ａ〜１１Ｄは連結片１３で繋がれて一体化されているので、ばらばらになることがなく、取り扱いやすいという利点がある。
【００４０】
なお、空所１２の両側のブロック１１Ａ〜１１Ｄの壁面と空所１２に嵌まるスペーサ部２２の壁面には、必要に応じて、空所１２に嵌ったスペーサ部２２の抜けを阻止する係合手段を設けてもよい。そうすれば、強くワイヤーハーネスＷを引っ張らないと、スペーサ部２２が空所１２から抜けないようにすることができる。
【００４１】
この場合の係合手段の例としては、空所１２の壁面を凹状に湾曲した円筒壁とし、スペーサ部２２の壁面をそれに合致する凸状に湾曲した円筒壁とし、両方の円筒壁の組み合わせにより構成したものを挙げることができる。また、対向する壁面の適当箇所に互いに係合する係合凸部と係合凹部を設け、それらの組み合わせにより構成したものを挙げることもできる。
【００４２】
なお、上記実施形態では、外周側部材１０を４つのブロック１１Ａ〜１１Ｄに分割した場合を示したが、分割数や分割位置は任意である。
【００４３】
図４に示す実施形態の外周側部材５０は、２つのブロック５１Ａ、５１Ｂに分割している。この場合も、外周側部材５０は、外周形状が、パネルの貫通孔の形状に対応した矩形を基準とする八角形（多角形）に形成され、八角形の８つの辺のうち互いに略平行に縦方向（Ｘ方向）と横方向（Ｙ方向）に対向する２対の辺５６Ａ〜５６Ｄの各々にロック部１４が配置されている。
【００４４】
そして、外周側部材５０が、互いに略平行に対向する２対の各辺５６Ａ〜５６Ｄに対して傾斜した斜めの分割線Ｌｘｙにより、２つのブロック５１Ａ、５１Ｂに分割され、各ブロック５１Ａ、５１Ｂに、ロック部１４をそれぞれ有し互いに略直交する関係の辺５６Ａ、５６Ｄ、５６Ｂ、５６Ｃが２つずつ設けられている。この場合は、ブロック５１Ａ、５１Ｂの空所１２が２箇所になるので、図示しないが、内周側部材のスペーサ部も２本となる。
【００４５】
このように、外周側部材５０を２辺５６Ａ、５６Ｄ、５６Ｂ、５６Ｃにロック部１４を有する２つのブロック５１Ａ、５１Ｂに分割した場合は、最小分割数でありながら、内周側部材を抜いた後で各ブロック５１Ａ、５１Ｂを内方に変位させて、全ロック部１４の係合を外すことができる。従って、簡単な構成で、パネルの貫通孔Ｐａからの取り外しを容易にすることができる。
【図面の簡単な説明】
【００４６】
【図１】本発明の実施形態のプロテクタの構成図で、（ａ）はパネルの貫通孔に装着した状態の側断面図、（ｂ）は同プロテクタの正面図である。但し、（ａ）は（ｂ）のＩａ−Ｉａ矢視断面図である。
【図２】同プロテクタの解体時の状態を示す側断面図である。
【図３】同プロテクタの解体時の状態を示す正面図である。
【図４】別の実施形態のプロテクタの外周側部材の正面図である。
【図５】従来のプロテクタの構成図で、（ａ）はパネルの貫通孔に装着した状態の側断面図、（ｂ）は同プロテクタの正面図である。
【図６】同プロテクタの解体方法の説明用の側断面図である。
【図７】同プロテクタの別の解体方法の説明用の側断面図である。
【符号の説明】
【００４７】
１  プロテクタ
１０  外周側部材
１１Ａ〜１１Ｄ  ブロック
１２  空所
１３  連結片
１４  ロック部
１６Ａ〜１６Ｄ  辺
２０  内周側部材
２１ａ  貫通孔
２２  スペーサ部
５０  外周側部材
５１Ａ〜１１Ｄ  ブロック
５６Ａ〜５６Ｄ  辺
Ｌｘ，Ｌｙ，Ｌｘｙ  分割線
Ｗ  ワイヤーハーネス
Ｐ  パネル
Ｐａ  パネルの貫通孔
【図１】
2009207314.tif 000003
【図２】
2009207314.tif 000004
【図３】
2009207314.tif 000005
【図４】
2009207314.tif 000006
【図５】
2009207314.tif 000007
【図６】
2009207314.tif 000008
【図７】
2009207314.tif 000009